(57)【要約】【課題】電子データの記録媒体上の種々の印刷領域に印刷を行う。【解決手段】印刷データ生成装置は、印刷対象の画像を切り抜いて印刷画像を特定する。まず、ＣＤ表面における同心円上の円環状領域に応じて、要素画像２７１，２７２を切り抜く。そして、要素画像２７１，２７２からなる印刷画像２７０を特定し、印刷画像２７０を印刷する印刷データを生成する。複数の要素画像を集めて印刷画像が特定されることで、種々の形状の印刷領域に応じた印刷を実現することができる。【選択図】　図６
2004090382.tif 000002
【特許請求の範囲】
【請求項１】
電子データの記録媒体の表面への印刷を行うための印刷データを生成する印刷データ生成装置であって、
印刷を行うべき画像を表す画像データを入力する画像入力部と、
前記記録媒体への印刷が許容される印刷可能領域を特定する特定データを入力する印刷可能領域入力部と、
該印刷可能領域内で、前記画像を印刷するよう、前記画像データから前記印刷データを生成する印刷データ生成部とを備え、
前記印刷可能領域は、分離した複数の要素領域から構成される印刷データ生成装置。
【請求項２】
請求項１記載の印刷データ生成装置であって、
前記特定データには、前記複数の要素領域を個別に特定する要素領域データを含む印刷データ生成装置。
【請求項３】
請求項１記載の印刷データ生成装置であって、
前記特定データは、
前記複数の要素領域を包含する最外郭領域を特定する最外郭領域特定データと、
該最外郭領域の内部で前記印刷可能領域に含まない非印刷領域を特定する非印刷領域特定データとを含む印刷データ生成装置。
【請求項４】
請求項１記載の印刷データ生成装置であって、
前記複数の要素領域は、互いに重複しない環状領域である印刷データ生成装置。
【請求項５】
請求項４記載の印刷データ生成装置であって、
前記各環状領域は円環状の領域であり、
該各円環状の領域は、同心円の内径および外径によって特定される印刷データ生成装置。
【請求項６】
請求項１記載の印刷データ生成装置であって、
前記要素領域どうしに、重複があるか否かを検査する検査部を備える印刷データ生成装置。
【請求項７】
請求項１〜６いずれか記載の印刷データ生成装置であって、
前記印刷データ生成部は、
前記複数の要素領域にわたって配置された画像から、各要素領域と重複する部分を抽出して、前記印刷データを生成する印刷データ生成装置。
【請求項８】
請求項１〜６いずれか記載の印刷データ生成装置であって、
前記印刷データ生成部は、
前記複数の要素領域にわたって配置された画像を、該要素領域の数に分割する分割部と、
該分割された各画像を変形し、各要素領域に適合させる画像適合部とを備える印刷データ生成装置。
【請求項９】
電子データの記録媒体の表面への印刷を行うための印刷データを生成する印刷データ生成装置であって、
印刷を行うべき画像を表す画像データを入力する画像入力部と、
前記記録媒体への印刷が許容される印刷可能領域を特定する特定データを入力する印刷可能領域入力部と、
前記印刷可能領域内で、印刷が禁止されるべき非印刷領域を特定するデータを入力する非印刷領域入力部と、
該印刷可能領域内で前記非印刷領域を除いた領域に、前記画像を印刷するよう、前記画像データから前記印刷データを生成する印刷データ生成部とを備える印刷データ生成装置。
【請求項１０】
電子データの記録媒体の表面への印刷を行うための印刷データを生成する印刷データ生成方法であって、
印刷を行うべき画像を表す画像データを入力する工程と、
前記記録媒体への印刷が許容される印刷可能領域を特定する特定データを入力する工程と、
該印刷可能領域内で、前記画像を印刷するよう、前記画像データから前記印刷データを生成する工程とを備え、
前記印刷可能領域は、分離した複数の要素領域から構成される印刷データ生成方法。
【請求項１１】
コンピュータに、電子データの記録媒体の表面への印刷を行うための印刷データを生成させるためのコンピュータプログラムであって、
印刷を行うべき画像を表す画像データを入力する機能と、
前記記録媒体への印刷が許容される印刷可能領域であって、分離した複数の要素領域から構成される印刷可能領域を特定する特定データを入力する機能と、
該印刷可能領域内で、前記画像を印刷するよう、前記画像データから前記印刷データを生成する機能とを前記コンピュータに実現させるためのコンピュータプログラム。
【請求項１２】
電子データの記録媒体の表面への印刷を行うための印刷データを生成する印刷データ生成方法であって、
印刷を行うべき画像を表す画像データを入力する工程と、
前記記録媒体への印刷が許容される印刷可能領域を特定する特定データを入力する工程と、
前記印刷可能領域内で、印刷が禁止されるべき非印刷領域を特定するデータを入力する工程と、
該印刷可能領域内で前記非印刷領域を除いた領域に、前記画像を印刷するよう、前記画像データから前記印刷データを生成する工程とを備える印刷データ生成方法。
【請求項１３】
コンピュータに、電子データの記録媒体の表面への印刷を行うための印刷データを生成させるためのコンピュータプログラムであって、
印刷を行うべき画像を表す画像データを入力する機能と、
前記記録媒体への印刷が許容される印刷可能領域を特定する特定データを入力する機能と、
前記印刷可能領域内で、印刷が禁止されるべき非印刷領域を特定するデータを入力する機能と、
該印刷可能領域内で前記非印刷領域を除いた領域に、前記画像を印刷するよう、前記画像データから前記印刷データを生成する機能とを前記コンピュータに実現させるためのコンピュータプログラム。
【請求項１４】
請求項１１または１３記載のコンピュータプログラムを記録したコンピュータ読み取り可能な記録媒体。
【発明の詳細な説明】
【０００１】
【発明の属する技術分野】
本発明は、電子データの記録媒体の表面への印刷を行うための印刷データの生成装置に関する。
【０００２】
【従来の技術】
従来、電子データの記録媒体の表面へ印刷を行う技術が利用されている。例えば、ＣＤ（Ｃｏｍｐａｃｔ　Ｄｉｓｋ）の表面へ印刷を行う技術が利用されている。この場合、ＣＤ円盤上の印刷可能領域の形状に応じた印刷データを印刷データ生成装置が生成する。
【０００３】
印刷可能領域は通常は円環状の領域である。印刷可能領域の内部には回転軸挿入孔があり、また、外周は円盤の半径に制限されるためである。円環状の印刷可能領域は、内径及び外径をユーザが入力することによって特定される。ユーザが印刷を所望する画像は、内径及び外径で特定される印刷可能領域に応じて切り抜かれて印刷される。
【０００４】
【発明が解決しようとする課題】
しかし、近年では、デザイン性や機能性の向上のために、ＣＤ上の印刷可能領域の形状は多彩である。また、ＣＤ自体の形状にも名刺型や星型、ハート型など種々の形状が利用されつつある。これらの場合、ユーザが所望する印刷可能領域は複雑なものとなり、簡便に印刷を行うことができなかった。
【０００５】
本発明はこれらの課題を解決するためになされたものであり、電子データの記録媒体の表面上の様々な形状の印刷可能領域への印刷を簡便に行う技術の実現を目的とする。
【０００６】
【課題を解決するための手段およびその作用・効果】
上記課題の少なくとも一部を解決するために、本発明では、次の構成を適用した。
本発明の印刷データ生成装置は、
電子データの記録媒体の表面への印刷を行うための印刷データを生成する印刷データ生成装置であって、
印刷を行うべき画像を表す画像データを入力する画像入力部と、
前記記録媒体への印刷が許容される印刷可能領域を特定する特定データを入力する印刷可能領域入力部と、
該印刷可能領域内で、前記画像を印刷するよう、前記画像データから前記印刷データを生成する印刷データ生成部とを備え、
前記印刷可能領域は、分離した複数の要素領域から構成されることを要旨とする。
【０００７】
このようにすることで、種々の印刷可能領域に対する印刷を簡便に実現することができる。
【０００８】
なお、電子データの記録媒体としては、ＣＤやＭＤ（Ｍｉｎｉ　Ｄｉｓｋ；登録商標）、ＤＶＤ（Ｄｉｓｉｔａｌ　Ｖｉｄｅｏ　Ｄｉｓｋ）、メモリカード、フレキシブルディスク、光磁気ディスク、ＩＣカード等の種々の媒体を適用することができる。また、印刷データは、印刷装置が直接取り扱える形式のデータであってもよいし、印刷装置が直接取り扱えない形式のデータであってもよい。また、印刷データは、ＰＤＦ（Ｐｏｒｔａｂｌｅ　Ｄｏｃｕｍｅｎｔ　Ｆｏｒｍａｔ）形式や、ＰｏｓｔＳｃｒｉｐｔ形式といったページ記述言語によるものであってもよいし、ＧＩＦ（Ｇｒａｐｈｉｃ　Ｉｎｔｅｒｃｈａｎｇｅ　Ｆｏｒｍａｔ）形式やＪＰＥＧ（Ｊｏｉｎｔ　Ｐｈｏｔｏｇｒａｐｈｉｃ　Ｇｒｏｕｐ）形式の画像ファイルであってもよい。さらに、特定データには、ユーザが作成したものを利用してもよいし、ＣＤの生産者が作成したものを利用してもよいし、印刷データ生成装置の製造者が作成したものを利用してもよい。
【０００９】
本発明の印刷データ生成装置において、
前記特定データには、前記複数の要素領域を個別に特定する要素領域データを含むものとしてもよい。
【００１０】
このようにすることで、所望の印刷可能領域を特定する特定データを容易に構成することができる。
【００１１】
本発明の印刷データ生成装置において、
前記特定データは、
前記複数の要素領域を包含する最外郭領域を特定する最外郭領域特定データと、
該最外郭領域の内部で前記印刷可能領域に含まない非印刷領域を特定する非印刷領域特定データとを含むものとしてもよい。
【００１２】
このようにすることで、所望の印刷可能領域を特定する特定データを容易に構成することができる。
【００１３】
なお、印刷可能領域を特定する方法は、上記２種類の方法に限定されるものではない。例えば、一部の要素領域については個別に特定し、残余の要素領域については非印刷可能領域を用いた特定を行ってもよい。
【００１４】
本発明の印刷データ生成装置において、
前記複数の要素領域は、互いに重複しない環状領域であるものとしてもよい。
【００１５】
なお、環状領域は、円環状領域や多角形環状その他種々の形状の領域を適用することができる。
【００１６】
本発明の印刷データ生成装置において、
前記各環状領域は円環状の領域であり、
該各円環状の領域は、同心円の内径および外径によって特定されるものとしてもよい。
【００１７】
本発明の印刷データ生成装置において、
前記要素領域どうしに、重複があるか否かを検査する検査部を備えるものとしてもよい。
【００１８】
このようにすることで、不正な印刷データの生成等、印刷データ生成装置の不具合を避けることができる。
【００１９】
なお、重複を検知した後は、種々の対応を採ることができる。例えば、要素領域が重複している警告を表示等してもよい。また、重複を回避するよう、いずれかの要素領域の形状を変更してもよい。
【００２０】
本発明の印刷データ生成装置において、
前記印刷データ生成部は、
前記複数の要素領域にわたって配置された画像から、各要素領域と重複する部分を抽出して、前記印刷データを生成するものとしてもよい。
【００２１】
このようにすることで、所望の画像を歪みなく、印刷可能領域に印刷することができる。
【００２２】
本発明の印刷データ生成装置において、
前記印刷データ生成部は、
前記複数の要素領域にわたって配置された画像を、該要素領域の数に分割する分割部と、
該分割された各画像を変形し、各要素領域に適合させる画像適合部とを備えるものとしてもよい。
【００２３】
このようにすることで、元の画像を漏れなく印刷することができる。従って、例えば、元の画像に文字がふくまれている場合、要素領域でない部分に文字が配置されていたとしても、その文字も、いずれかの要素領域に印刷させることができる。分割は、分割後の画像が連続するように行うことが望ましい。
【００２４】
なお、元の画像の一部は、要素領域への印刷対象から除かれるものとしてもよい。ただし、入力された元来の画像における重要部分は印刷対象から除かれないことが望ましい。例えば、元の画像の中心部分が印刷対象が除かれないようにするものとしてもよい。
【００２５】
なお、画像適合部が画像を変形して要素領域に適合させる態様には種々の場合がある。例えば、画像適合部は、画像の拡大や縮小を行ってもよいし、外周部等の切除を行ってもよい。
【００２６】
また、本発明の第ニの印刷データ生成装置は、
電子データの記録媒体の表面への印刷を行うための印刷データを生成する印刷データ生成装置であって、
印刷を行うべき画像を表す画像データを入力する画像入力部と、
前記記録媒体への印刷が許容される印刷可能領域を特定する特定データを入力する印刷可能領域入力部と、
前記印刷可能領域内で、印刷が禁止されるべき非印刷領域を特定するデータを入力する非印刷領域入力部と、
該印刷可能領域内で前記非印刷領域を除いた領域に、前記画像を印刷するよう、前記画像データから前記印刷データを生成する印刷データ生成部とを備えることを要旨とする。
【００２７】
このようにすることで、種々の印刷可能領域に対する印刷を実現することができる。なお、非印刷領域は円環状の領域その他の環状の領域であってもよい。第２の印刷データ生成装置によれば、印刷可能領域は、複数の要素領域に分離されている必要はない。例えば、単一の印刷可能領域中に穴あき状態で非印刷可能領域が定義されていてもよい。
【００２８】
本発明は、印刷データ生成装置としての態様の他、印刷データ生成方法など種々の態様で構成することが可能である。また、それらをコンピュータによって実現するコンピュータプログラム自身またはこれと同視し得る信号として構成してもよい。更に、これらのコンピュータプログラムを記録した記録媒体として構成してもよい。
【００２９】
ここで記憶媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【００３０】
【発明の実施の形態】
以下、本発明の実施の形態について、実施例に基づき以下の順序で説明する。
Ａ．第一実施例；印刷データ生成システム：
Ｂ．第ニ実施例；画像分割：
Ｃ．変形例：
【００３１】
Ａ．第一実施例；印刷データ生成システム：
図１は、印刷システム１００ｓのシステム構成を示す説明図である。印刷システム１００ｓは、パーソナルコンピュータ１００と印刷装置１１０とから構成される。印刷装置１１０は、印刷データをパーソナルコンピュータ１００から受け取ってＣＤ表面上への印刷を行う。パーソナルコンピュータ１００は入力画像の加工を行い、ＣＤ上の所定の印刷可能領域に印刷を行う印刷データを生成する。なお、本実施例では、ＣＤの表面への印刷を行うものとして説明を行うが、かかる場合に限定されることはない。電子データの記録媒体の表面への印刷を行う場合であれば、種々の場合が含まれる。
【００３２】
図１には、パーソナルコンピュータ１００の機能ブロック構成を併せて示した。パーソナルコンピュータ１００は、印刷データ生成プログラムを備えており、図示する機能ブロックは、印刷データ生成プログラムにより実現される機能としてソフトウェア的に構成されている。もっとも、それぞれの機能ブロックはハードウェア的に構成しても構わない。
【００３３】
画像入力部１０１は、印刷対象となる入力画像の画像データを入力する。入力は、フレキシブルディスク等の記録媒体から行ってもよいし、ネットワーク（図示せず）を介して行ってもよい。
【００３４】
領域入力部１０２は、要素領域データを入力する。要素領域データはＣＤ表面上の一定の要素領域を特定するデータである。要素領域データは複数が一組となって１つの印刷可能領域を特定する。パーソナルコンピュータ１００は要素領域データ群が特定する印刷可能領域上へ印刷を行う印刷データを生成する。
【００３５】
設定記憶部１０３は、基本印刷領域を示す基本印刷領域データを記憶している。これは、ＣＤ表面上の内径及び外径で特定される円環状領域である。ユーザは、基本印刷領域をデフォルトの印刷可能領域として利用することができる。
【００３６】
検査部１０４は、領域入力部１０２が入力する複数の要素領域データの間に矛盾がないか否かを検査する。具体的には、各要素領域データが各々特定する要素領域の間に重複がないか否かを調べる。なお、検査部１０４が行う検査は種々のものを利用可能である。例えば、要素領域データ群が特定する印刷可能領域が、基本印刷領域に包含されるものであることを検査してもよい。
【００３７】
加工部１０５は、画像入力部１０１が入力する入力画像を、領域入力部１０２が入力する要素領域データに応じて加工する。具体的には、要素領域データ群が特定する印刷可能領域の形状に入力画像を切り抜く。これにより、実際に印刷を行うべき印刷画像が特定される。印刷画像は、指定された印刷可能領域の形状に応じた画像となる。
【００３８】
印刷データ生成部１０６は、プリンタドライバとしての機能に相当し、加工部１０５が特定する印刷画像に基づいて、印刷データを生成し、これを印刷装置１１０に送付して実際の印刷を行わせる。
【００３９】
図２は、要素領域データのデータ構成を示す説明図である。図２では、領域入力部１０２が入力する要素領域データ１，２により円環状の要素領域１，２が各々指定される場合を示した。
【００４０】
要素領域データ１，２は、それぞれ、ＣＤ円盤の中心２００ｃからの内径及び外径の組で構成される。図２では、要素領域データ１，２が指定する要素領域１，２を各々ハッチングにより図示している。加工部１０５が特定する印刷可能領域は、要素領域１，２の全体から構成される２重の円環状の領域である。
【００４１】
図３は、印刷データ生成処理を示すフローチャートである。図４は、入力画像の一例を示す説明図である。図５は、印刷可能領域の一例を示す説明図である。図６は、印刷画像の一例を示す説明図である。以下、図４〜６を参照しつつ、図３に示す印刷データ生成処理の説明を行う。
【００４２】
ステップＳａ１では、画像入力部１０１が画像データを入力する。図４では、座標付けられた長方形の入力画像２５０を示した。
【００４３】
ステップＳａ２では、領域入力部１０２が複数の要素領域データを入力する。図５では、要素領域１，２全体から構成される印刷可能領域２６０（ハッチングにより図示）を示した。
【００４４】
ステップＳａ３では検査部１０４が要素領域データ群の検査を行う。また、ステップＳａ４では検査結果の確認を行う。要素領域の間に重複がある場合にはステップＳａ２に戻って要素領域データの再入力を行い、重複がない場合にはステップＳａ５以下の処理を行う。
【００４５】
ステップＳａ５では加工部１０５が画像の加工を行う。まず、加工部１０５は、指定される要素領域ごとに入力画像の切り抜きを行う。図６では、図５の要素領域１，２に応じて入力画像２５０からそれぞれ切り抜いた要素画像２７１，２７２を示した。加工部１０５は、要素画像２７１，２７２から構成される印刷画像２７０を特定する。
【００４６】
ステップＳａ６では、加工部１０５が特定した印刷画像を印刷するための印刷データを印刷データ生成部１０６が生成する。生成された印刷データは印刷装置１１０に送付されて実際の印刷が行われる。
【００４７】
以上説明した、印刷システムによれば、種々の印刷可能領域に対する印刷を簡便に実現することができる。
【００４８】
なお、図２において、要素領域データ１の内径と、要素領域データ２の外径との値の記録を省略し、それぞれ、基本印刷領域の内径及び外径を利用するものとしてもよい。
【００４９】
Ｂ．第ニ実施例；画像分割：
次に、第一実施例の変形例として、図３のステップＳａ５の加工処理において画像分割を行う場合について説明する。
【００５０】
図７は、画像分割を行う加工処理を示すフローチャートである。また、図８は、要素領域を示す説明図である。これは、第一実施例における図５と同様である。図９は、抽出領域を示す説明図である。図１０は、画像の当てはめを示す説明図である。以下では、図８〜１０を参照しつつ図７の加工処理を説明する。
【００５１】
ステップＳｂ１では、図３のステップＳａ２で入力された要素領域データに基づいて、分割線と抽出領域との準備を行う。図９には、図８に示す要素領域１，２に応じて準備した分割線３００及び抽出領域１，２を示した。
【００５２】
ステップＳｂ２では、抽出領域ごとに画像データから抽出画像を分割抽出する。本実施例では、分割線３００をはさんで連続した抽出領域１，２に応じて抽出画像を分割抽出する点で、分離した要素領域１，２（図５参照）に応じて切り抜きを行っていた第一実施例の場合と相違する。すなわち、本実施例では、要素領域１，２のいずれにも含まない領域３５０についても画像の抽出を行う点で第一実施例の場合と相違する。
【００５３】
ステップＳｂ３では、抽出領域１，２に応じて抽出した抽出画像を要素領域１，２に当てはめて要素画像を生成する処理を行う。図１０では、図９の抽出領域１，２と同じハッチングを要素領域１，２に各々付すことで、画像の当てはめの態様を示している。抽出領域１から抽出した画像はそのまま要素領域１に当てはめるが、抽出領域２から抽出した画像は拡大等の修正を行って要素領域２に当てはめる。
【００５４】
次に、図７及び図８〜１０で示した加工処理の具体例を図１１〜１３を利用して説明する。図１１〜１３では、ＣＤ表面上の一部をとりあげて図示している。
【００５５】
図１１は、「東京」なる文字を含む入力画像４００を示す説明図である。「京」の文字は要素領域１に完全に含まれる。また、「東」の文字は要素領域２に含まれる部分と要素領域１，２のいずれにも含まれない部分とがある。
【００５６】
図１２は、図９に示した抽出領域１，２に応じて抽出した抽出画像１，２を示す説明図である。抽出領域１，２に応じて、抽出画像１，２が分割線３００をはさんで各々分割抽出される。抽出画像１，２は分割線３００で接しており、画像の内容は連続している。図１２の場合、抽出画像１に「京」の文字が、抽出画像２に「東」の文字がそれぞれ完全に含まれている。「東」及び「京」の文字の間にある領域は、抽出領域１，２のいずれかに全て含まれているためである。
【００５７】
図１３は、図１２で示した抽出画像１，２を要素領域１，２に当てはめたときの要素画像１，２を示す説明図である。
【００５８】
以上説明した印刷システムによれば、分離した２つの要素領域にはさまれる部分の画像を印刷することができる。入力画像の「東京」なる文字が全て印刷されることで、情報の欠落を防ぐことができる。
【００５９】
なお、本実施例では、要素領域２に含む領域であっていずれの抽出領域にも含まない削除領域３６０がある場合について説明したが、かかる場合に限定されない。削除領域３６０を抽出領域２に含めるものとしてもよい。また、本実施例では、抽出領域１は要素領域１と同じ領域であるものとしたが、かかる場合にも限定されない。抽出領域２が要素領域２と同じ領域であってもよいし、対応する要素領域と抽出領域とは全て異なっていてもよい。
【００６０】
Ｃ．変形例：
以下では、図１４〜１７を参照しつつ、種々の変形例を説明する。
図１４は、非印刷領域データのデータ構成を示す説明図である。図１４では、非印刷領域データを利用して印刷可能領域を特定する場合を示している。基本印刷領域データは、設定記憶部１０３が予め記憶している。領域入力部１０２は、非印刷領域データを入力する。各々のデータは、ＣＤ円盤状の同心円上の内径及び外径の組を含み、円環状の領域を特定する。基本印刷領域データは基本印刷領域３７０を、非印刷領域データは非印刷領域３７１をそれぞれ特定する。加工部１０５は、基本印刷領域３７０から非印刷領域３７１を除いた２重の円環状の領域を印刷可能領域として特定する。
【００６１】
図１５は、長方形の非印刷領域を示す説明図である。図１５における非印刷領域データは、長方形の左上角の座標と、長方形の横辺長・縦辺長とから、長方形の非印刷領域を特定する。
【００６２】
なお、非印刷領域の形状は、図１４，１５で示した場合に限定されず種々のものを利用することができる。非印刷領域は環状の形状であってもよいし、非環状の形状であってもよい。また、図１４、１５では１つの非印刷領域のみを利用する場合を例示したが、分離した複数の非印刷領域を利用するものとしてもよい。さらに、図１４，１５では基本印刷領域データを利用する場合を示したが、かかる場合に限定されることもない。また、要素領域データと非印刷領域データとを併用して印刷可能領域を特定してもよい。
【００６３】
図１６は、環状の要素領域を示す説明図である。図１６において、要素領域１は三角形の内周５００と四角形の外周５０１とを有し、要素領域２は五角形の内５１０周と長方形の外周５１１とを有する環状の要素領域である。なお、図１６における印刷可能領域を環状の非印刷領域を利用しつつ特定するものとしてもよい。
【００６４】
図１７は、環状でない要素領域を示す説明図である。図１７は、分離した要素領域１，２全体から構成される印刷可能領域が特定される。要素領域１と要素領域２とは環状でない領域である。なお、非印刷領域により図１７の印刷可能領域を特定することも可能である。
【００６５】
以上、実施例に基づき本発明にかかる印刷システムを説明してきたが、上述した発明の実施の形態は、本発明の理解を容易にするためのものであり、本発明を限定するものではない。本発明は、その趣旨並びに特許請求の範囲を逸脱することなく、変更、改良され得る。
【図面の簡単な説明】
【図１】印刷システム１００ｓのシステム構成を示す説明図である。
【図２】要素領域データのデータ構成を示す説明図である。
【図３】印刷データ生成処理を示すフローチャートである。
【図４】入力画像を示す説明図である。
【図５】印刷可能領域を示す説明図である。
【図６】印刷画像を示す説明図である。
【図７】画像分割を行う加工処理を示すフローチャートである。
【図８】要素領域を示す説明図である。
【図９】抽出領域を示す説明図である。
【図１０】画像の当てはめを示す説明図である。
【図１１】「東京」なる文字を含む入力画像を示す説明図である。
【図１２】図９に示した抽出領域１，２に応じて抽出した抽出画像１，２を示す説明図である。
【図１３】図１２で示した抽出画像１，２を要素領域１，２に当てはめたときの要素画像１，２を示す説明図である。
【図１４】非印刷領域データのデータ構成を示す説明図である。
【図１５】長方形の非印刷領域を特定する非印刷領域データのデータ構成を示す説明図である。
【図１６】環状の要素領域を示す説明図である。
【図１７】環状でない要素領域を示す説明図である。
【符号の説明】
１００…パーソナルコンピュータ
１１０…印刷装置
１０１…画像入力部
１０２…領域入力部
１０３…設定記憶部
１０４…検査部
１０５…加工部
１０６…印刷データ生成部
１００…ＣＤ円盤の中心
２５０…入力画像
２６０…印刷可能領域
２７０…印刷画像
２７１，２７２…要素画像
３００…分割線
３５０…要素領域１，２のいずれにも含まない領域
４００…入力画像
３６０…削除領域
３７０…基本印刷領域
３７１…非印刷領域
５００，５１０…内周
５０１，５１１…外周
【図１】
2004090382.tif 000003
【図２】
2004090382.tif 000004
【図３】
2004090382.tif 000005
【図４】
2004090382.tif 000006
【図５】
2004090382.tif 000007
【図６】
2004090382.tif 000008
【図７】
2004090382.tif 000009
【図８】
2004090382.tif 000010
【図９】
2004090382.tif 000011
【図１０】
2004090382.tif 000012
【図１１】
2004090382.tif 000013
【図１２】
2004090382.tif 000014
【図１３】
2004090382.tif 000015
【図１４】
2004090382.tif 000016
【図１５】
2004090382.tif 000017
【図１６】
2004090382.tif 000018
【図１７】
2004090382.tif 000019